(57)【要約】      （修正有）【課題】繊維製品収納家具の中から所望の繊維製品を迅速・容易に取り出し可能とする繊維製品収納補助具を提供する。【解決手段】第１の補助具５は、側面と底面を有し、上面が開口した横断面が横長長方形の直方体状の箱形に形成されており、開口７から繊維製品を出し入れ自在に収納する。第２の補助具６は、側面と底面を有し、上面が開口した横断面が略正方形の直方体状の箱形に形成されており、開口８から繊維製品を出し入れ自在に収納する。第１の補助具５、第２の補助具６は、いずれも全体が透明で可撓性を有し、表面が抗菌加工されたプラスチック部材により形成されている。また、第１の補助具５と第２の補助具６は引き出し４の内側の高さより少し低い高さに形成されるとともに、第２の補助具６は第１の補助具５の中に丁度入る大きさに形成されている。【選択図】図１
0003178756.tif 000002
【実用新案登録請求の範囲】
【請求項１】
側面と底面を有し、上面が開口した箱形に形成されており、
内部に一つの繊維製品を出し入れ自在で、
繊維製品収納家具の中に上向きに平面的に並べて複数個収納可能に形成したこと、
を特徴とする繊維製品収納補助具。
【請求項２】
繊維製品収納補助具をサイズの異なる複数種用意し、
小サイズの繊維製品収納補助具は大サイズの繊維製品収納補助具の中に出し入れ自在に入れることができるように形成したこと、
を特徴とする請求項１記載の繊維製品収納補助具。
【請求項３】
繊維製品収納補助具を透明若しくは半透明に形成したこと、
を特徴とする請求項１または２記載の繊維製品収納補助具。
【請求項４】
繊維製品収納補助具の少なくとも側面が可撓性を有すること、
を特徴とする請求項１または２または３記載の繊維製品収納補助具。
【請求項５】
繊維製品収納補助具の上端部の対向する個所の一方に取っ手部、他方に上端縁から切除した切除部を設け、
並べて置かれた繊維製品収納補助具の内、一つの繊維製品収納補助具の取っ手部を掴んで引き上げるとき、隣接する繊維製品収納補助具の切除部を手が移動するように形成したこと、
を特徴とする請求項１または２または３または４記載の繊維製品収納補助具。
【考案の詳細な説明】
【技術分野】
【０００１】
本考案は繊維製品収納補助具に係り、とくに下着、Ｔシャツ、ズボン下、靴下等の衣類やタオルなどの繊維製品をタンス、衣装ケースなどの繊維製品収納家具から簡単に取り出し可能とする繊維製品収納補助具に関する。
【背景技術】
【０００２】
家庭において、下着、Ｔシャツ、ズボン下、靴下等の衣類やタオルなどの繊維製品は洗濯後、畳んでタンス、衣装ケースなどの家具の引き出しに上下に積み重ねるようにして収納していた。このため、使用する際、所望の衣類等が積み重ねられた繊維製品の下の方に隠れていると、積み重なりをくずして所望の衣類等を探さなければならず、時間が掛かると共に、積み直しの手間も掛かる欠点があった。
従来、タンスの引き出しに衣類固定装置を付設した考案が提案されているが（特許文献１参照）、衣類が引き出しからはみ出るのを防止するもので、所望の衣類等を取り出すためには固定装置を外したあと、積み重なりの中から探さなければならず、却って面倒となる。
【先行技術文献】
【特許文献】
【０００３】
【特許文献１】実開平０４−１０７４１号公報
【考案の概要】
【考案が解決しようとする課題】
【０００４】
本考案は上記した従来技術の問題に鑑みなされたもので、繊維製品収納家具の中から所望の繊維製品を迅速・容易に取り出すことのできる繊維製品収納補助具を提供することを、その目的とする。
【課題を解決するための手段】
【０００５】
本考案の請求項１記載の繊維製品収納補助具では、側面と底面を有し、上面が開口した箱形に形成されており、内部に一つの繊維製品を出し入れ自在で、繊維製品収納家具の中に上向きに平面的に並べて複数個収納可能に形成したこと、を特徴としている。
本考案の請求項２記載の繊維製品収納補助具では、サイズが異なる複数種が用意されており、小サイズの繊維製品収納補助具は大サイズの繊維製品収納補助具の中に出し入れ自在に入れることができること、を特徴としている。
本考案の請求項３記載の繊維製品収納補助具では、透明若しくは半透明に形成されていること、を特徴としている。
本考案の請求項４記載の繊維製品収納補助具では、少なくとも側面が可撓性を有すること、を特徴としている。
本考案の請求項５記載の繊維製品収納補助具では、上端部の対向する個所の一方に取っ手部、他方に上端縁から切除した切除部を設け、並べて置かれた繊維製品収納補助具の内、一つの繊維製品収納補助具の取っ手部を掴んで引き上げるとき、隣接する繊維製品収納補助具の切除部を手が移動するように形成したこと、を特徴としている。
【考案の効果】
【０００６】
本考案によれば、多数の繊維製品を一つづつ個別に中に入れた多数の繊維製品収納補助具を上向きで平面的に並べて繊維製品収納家具の中に収納することにより、繊維製品を上下に積み重ねずに済むとともに、各繊維製品収納補助具の開口を通して多数の繊維製品を一目で見渡すことができる。従って、所望の繊維製品を迅速・容易に取り出すことができる。
また、デザインの揃ったシャツとパンツのように対になった繊維製品のうち、小サイズの繊維製品は小サイズの繊維製品収納補助具に入れたあと、大サイズの繊維製品を入れる大サイズの繊維製品収納補助具の中に入れることにより、対の繊維製品を一まとめにして収納することができる。
また、繊維製品収納補助具を透明若しくは半透明とすることにより、所望の繊維製品をより見つけやすくすることができる。
また、繊維製品収納補助具の少なくとも側面を可撓性とすることにより、繊維製品収納補助具よりサイズが少し大きい繊維製品も楽に入れることができる。
また、繊維製品収納補助具の上端部の対向する個所の一方に取っ手部、他方に切除部を設けたので、所望の繊維製品収納補助具に隣接する他の繊維製品収納補助具が有っても、所望の繊維製品収納補助具の取っ手部を手で掴んで引き上げようとするとき、手が隣接する繊維製品収納補助具の切除部を移動できるので、当該隣接する繊維製品収納補助具を掴むことなく容易に所望の繊維製品収納補助具だけ引き上げることができる。
【図面の簡単な説明】
【０００７】
【図１】本考案の第１実施例に係る繊維製品収納補助具の使用状態を示す説明図である（実施例１）。
【図２】図１中の２種類の繊維製品収納補助具の使用方法の説明図である。
【図３】本考案の第２実施例に係る繊維製品収納補助具の外観斜視図である（実施例２）。
【図４】図３の繊維製品収納補助具の使用方法の説明図である。
【考案を実施するための最良の形態】
【０００８】
以下、本考案の最良の形態を実施例に基づき説明する。
【実施例１】
【０００９】
図１を参照して本考案の第１実施例を説明する。図１は本考案に係る繊維製品収納補助具の使用状態を示す説明図である。
図１において、１は繊維製品収納家具としてのタンスであり、上下３段の同形の引き出し２、３、４に、下着、Ｔシャツ、ズボン下、靴下等の衣類やタオルなどの多数の繊維製品が収納されている。各引き出し２〜４には多数の繊維製品が箱形の多数の繊維製品収納補助具に一点ずつ小分けして収納されている。例えば、引き出し４について説明すると、大サイズの第１の繊維製品収納補助具（以下、「第１の補助具」と略す）５と小サイズの第２の繊維製品収納補助具（以下、「第２の補助具」と略す）６が上向きで平面的に並べられている。第１の補助具５は引き出し４に２列に並べられており、第２の補助具６は第１の補助具５の脇（引き出し４の右隅）に１列に並べられている。
【００１０】
第１の補助具５は下着のシャツ、Ｔシャツ、ズボン下、バスタオルなど比較的大きなサイズの繊維製品を１つ収納するためのものであり、第２の補助具６は下着のパンツ、靴下、ストッキング、小タオルなど比較的小さなサイズの繊維製品を１つ収納するためのものである。但し、靴下は一足単位で収納する。第１の補助具５は、側面と底面を有し、上面が開口した横断面が横長長方形の直方体状の箱形に形成されており、開口７から繊維製品を出し入れ自在に収納する。第２の補助具６は、側面と底面を有し、上面が開口した横断面が略正方形の直方体状の箱形に形成されており、開口８から繊維製品を出し入れ自在に収納する。第１の補助具５、第２の補助具６は、いずれも全体が透明で可撓性を有し、表面が抗菌加工されたプラスチック部材により形成されている。また、第１の補助具５と第２の補助具６は引き出し４の内側の高さより少し低い高さに形成されるとともに、第２の補助具６は第１の補助具５の中に丁度入る大きさに形成されている（図２参照）。
【００１１】
次に、上記した第１の補助具５、第２の補助具６の使用方法を説明する。
なお、引き出し４には既に、左側の縦の列の第１の補助具５に洗濯後の父親用の下着のシャツ１０が個別に収納されており、真ん中の縦の列の第１の補助具５に洗濯後の父親用のズボン下１１が個別に収納さてれており、右側の縦の列の第２の補助具６に洗濯後の父親用の靴下（一足単位）１２が個別に収納されているものとする。
例えば図１の左上に示す如く、洗濯後の父親用の下着のシャツ１０ａをタンス１の引き出し４に収納したい場合、畳んだあと空の第１の補助具５に開口７から入れる（矢印Ａ、Ｂ参照）。そして、引き出し４を開け、シャツ１０ａを入れた第１の補助具５を左側の縦の列に並べて収納し（矢印Ｃ参照）、引き出し４を元に戻す。この際、左側の縦の列の一番奥に並べて収納し、列の一番手前が時間的に一番先に洗濯したシャツ１０の入った第１の補助具５となるようにしておく。
【００１２】
洗濯後の父親用のズボン下１１を引き出し４に収納する場合も同様に、畳んで空の第１の補助具５に入れ、引き出し４の真ん中の列の一番奥に並べて収納すれば良く、洗濯後の父親の靴下（一足単位）１２を引き出し４に収納する場合も同様に、畳んで空の第２の補助具６に入れ、引き出し４の右側の列の一番奥に並べて収納すればよい。
第１の補助具５や第２の補助具６の大きさに比べて中に入れる繊維製品のサイズが少し大きい場合でも、第１の補助具５や第２の補助具６の部材が可撓性を有するので容易に入れることができる。
【００１３】
これと異なり、タンス１の引き出し４から所望の衣類を取り出したい場合、まず引き出し４を引き出す。すると、多数の第１の補助具５、第２の補助具６に入れられた衣類が、開口７、８と第１の補助具５、第２の補助具６の透明部材を通して上部が見える形で平面的に並べられているので、引き出し４の全ての衣類を一目で見渡すことがてき、所望の衣類がどれであるか簡単に判るので、所望の衣類を容易に見つけることが出来るとともに、列を乱すことなく迅速に取り出すことができる。
【００１４】
例えば父親用の下着のシャツで一番先に洗濯したものを取り出したい場合、引き出し４には多数の第１の補助具５、第２の補助具６に個別に収納されたシャツ１０、ズボン下１１、靴下１２が洗濯順が判るように、かつ衣類の上部が見えるように平面的に並べられているので、左側の列の一番手前の第１の補助具５が該当することが直ぐに判る。従って、左側の列の一番手前の第１の補助具５を取り出し（図１の矢印Ｄ参照）、中からシャツ１０ｂを取り出す（図１の矢印Ｅ参照）。そして、引き出し４の左側の列の第１の補助具５を前に詰めて引き出し４を閉める。
同様に、父親用の下着のズボン下で一番先に洗濯したものを取り出したい場合、引き出し４の真ん中の列の一番手前の第１の補助具５が該当することが直ぐに判り、父親用の靴下で一番先に洗濯したものを取り出したい場合、右側の列の一番前の第２の補助具６が該当することが直ぐに判る。
【００１５】
なお、例えば図２に示す如く洗濯後のシャツ１０とパンツ１３がデザインの揃ったペアの場合、各々第１の補助具５、第２の補助具６に入れてバラバラに引き出し４に収納すると、ペアのシャツ１０とパンツ１３を取り出そうとしたとき、どれとどれがペアであるか探すのに時間が掛かってしまう。この場合、比較的サイズの小さいパンツ１３を畳んで第２の補助具６の中に開口８から入れたあとに（矢印Ｆ参照）、更に第１の補助具５の中に開口７から入れ（矢印Ｇ参照）、第１の補助具５の空いたスペースに比較的サイズの大きいシャツ１０を入れたのち（矢印Ｈ参照）、この第１の補助具５をタンス１に収納するようにする。このようにすれば、どのシャツ１０とどのパンツ１３がペアであるか、探す手間が省ける。
【００１６】
この実施例によれば、繊維製品を一つづつ個別に中に入れた多数の第１の補助具５、第２の補助具６を上向きで平面的に並べてタンス１の引き出し２〜４に収納することにより、繊維製品を引き出し２〜４の中で上下に積み重ねずに済むとともに、第１の補助具５、第２の補助具６の開口７、８を通して多数の繊維製品を一目で見渡すことができる。従って、所望の繊維製品を迅速・容易に取り出すことができる。
また、デザインの揃ったシャツとパンツのように対になった繊維製品のうち、小サイズの繊維製品は小サイズの第２の補助具６に入れたあと、大サイズの繊維製品を入れる大サイズの第１の補助具５の中に入れることにより、対の繊維製品を一まとめにして収納することができる。
また、第１の補助具５、第２の補助具６の部材を中の繊維製品が透けて見える透明としたことにより、所望の繊維製品が見つけやすい。
また、第１の補助具５、第２の補助具６を可撓性としたことにより、第１の補助具５、第２の補助具６のサイズに比べてサイズが少し大きい繊維製品も楽に入れることができる。
【実施例２】
【００１７】
次に図３、図４を参照して本考案の第２実施例を説明する。図３は本考案に係る繊維製品収納補助具の外観斜視図、図４は図３の繊維製品収納補助具の使用方法の説明図である。
図１の第１実施例では、第１の補助具と第２の補助具ともに取っ手部の無い箱形としたが、この第２実施例では取っ手部を設けて、所望の繊維製品の入った第１の補助具または第２の補助具を取り出し易くしてある。
即ち、図３（ａ）は大サイズの第１の補助具５Ａであり、大きさと材質は図１の第１の補助具５と同様に形成されている。第１の補助具５Ａの上端部の対向する２個所の内、一方の個所に手指を差し込む長穴２０を有する取っ手部２１が設けられており、他方の個所に上端縁から長穴２０の下辺に対向する高さまで長穴２０の長さと同じ幅か、少し大きい幅で長方形状に切除した切除部２２が設けられている。取っ手部２１と切除部２２は、多数の第１の補助具５Ａが並んだ状態で或る１つの第１の補助具５Ａの取っ手部２１を手で掴んで引き上げるとき、隣接する第１の補助具５Ａの切除部２２を手が移動するように形成してある。つまり、切除部２２により、手が当該隣接する第１の補助具５Ａに邪魔されることなく自由に移動可能となっている。
【００１８】
図３（ｂ）は小サイズの第２の補助具６Ａであり、大きさと材質は図１の第２の補助具６と同様に形成されている。第２の補助具６Ａの上端部の対向する２個所の内、一方の個所に手指を差し込む長穴２３を有する取っ手部２４が設けられており、他方の個所に上端縁から長穴２３の下辺に対向する高さまで長穴２３の長さと同じ幅か、少し大きい幅で長方形状に切除した切除部２５が設けられている。取っ手部２４と切除部２５は、多数の第２の補助具６Ａを並んだ状態で或る一つの第２の補助具６Ａの取っ手部２４を手で掴んで引き上げるとき、隣接する第２の補助具６Ａの切除部２５を手が移動するように形成してある。つまり、切除部２５により、手が当該隣接する第２の補助具６Ａに邪魔されることなく自由に移動可能となっている。
【００１９】
図４（ａ）に示す如く、引き出し（図示せず）の中に第１の補助具５Ａが平面的に一列に並べられているとき、例えば隣接する２つの第１の補助具５Ａ−１、５Ａ−２では、一方の第１の補助具５Ａ−２の取っ手部２１が他方の第１の補助具５Ａ−１の切除部２２に位置することになる。所望の繊維製品が入っている第１の補助具５Ａ−２を取り出そうとするとき、第１の補助具５Ａ−２の取っ手部２１を掴んで引き上げれば、隣接する第１の補助具５Ａ−２に邪魔されることなく第１の補助具５Ａ−２だけ単独で簡単に取り出すことができ、便利である。
同様に、図４（ｂ）に示す如く、引き出し（図示せず）の中に第２の補助具６Ａが平面的に一列に並べられているとき、例えば隣接する２つの第２の補助具６Ａ−１、６Ａ−２では、一方の第２の補助具６Ａ−２の取っ手部２４が他方の第２の補助具６Ａ−１の切除部２５に位置することになる。所望の繊維製品が入っている第２の補助具６Ａ−２を取り出そうとするとき、第２の補助具６Ａ−２の取っ手部２４を掴んで引き上げれば、隣接する第２の補助具６Ａ−１に邪魔されることなく第２の補助具６Ａ−１だけ単独で簡単に取り出すことができ、便利である。
【００２０】
なお、上記した各実施例では、繊維製品収納家具としてタンスを例に挙げたが、衣装ケースなど他の種類の家具にも適用可能である。また、シャツ、ズボン下、靴下、バスタオル、小タオル以外に、女性用の下着等、子供用の下着と上着など多種類の繊維製品に適用可能である。
また、第１の繊維製品収納補助具、第２の繊維製品収納補助具を透明としたが、半透明、または不透明としても良い。また、プラスチック部材に代えて紙製としても良い。また、繊維製品収納補助具のサイズを２種類用意する場合につき説明したが、３種類以上のサイズを用意するようにしても良い。
【産業上の利用可能性】
【００２１】
本考案は、タンス、衣装ケースなどの繊維製品収納家具に、衣類、タオルなどの繊維製品を多数収納する場合に適用可能である。
【符号の説明】
【００２２】
１  タンス
２、３、４  引き出し
５、５Ａ、５Ａ−１、５Ａ−２  第１の繊維製品収納補助具
６、６Ａ、６Ａ−１、６Ａ−２  第２の繊維製品収納補助具
１０、１０ａ、１０ｂ  シャツ
１１  ズポン下
１２  靴下
１３  パンツ
【図１】
0003178756.tif 000003
【図２】
0003178756.tif 000004
【図３】
0003178756.tif 000005
【図４】
0003178756.tif 000006